(57)【要約】【課題】 スーパーマーケット等の店舗で、従業員が商品管理をするときに、手間をかけずに賞味期限切れの商品や賞味期限が近づいている商品をチェックできるようにする。【解決手段】 各商品４００−ｉにはその商品の賞味期限を記憶するＲＦＩＤタグ２００−ｉが付けられている。従業員が携帯するタグ読取装置１００には、賞味期限切れの為に商品棚５００から除去すべき商品か否かを判定する為の除去商品基準日時と、除去対象にはならないが賞味期限切れが近い為に商品棚５００の前列に移動すべき商品か否かを判定する為の移動商品基準日時が設定されている。タグ読取装置１００を１つの商品のタグ２００−ｉにかざすと、そのタグ２００−ｉの賞味期限が読み取られ、除去商品基準日時および移動商品基準日時と比較され、当該商品４００−ｉが賞味期限切れかどうか、賞味期限切れが近いかどうかの判定結果が光や音によって従業員に通知される。【選択図】 図１
2005178964.tif 000002
【特許請求の範囲】
【請求項１】
商品の鮮度に関連する日時情報が記録されたタグと、該タグに記録されている日時情報を読み取り、該読み取った日時情報と予め設定されている除去商品基準日時および移動商品基準日時とに基づいて、前記商品が除去対象となる商品か否か、除去対象にはならないが設置場所の移動対象となる商品か否かを判定し、判定結果を出力するタグ読取装置とを含むことを特徴とする商品管理システム。
【請求項２】
請求項１記載の商品管理システムにおいて、前記タグ読取装置は、前記タグに記録されている日時情報を読み取る読取手段と、除去商品基準日時および移動商品基準日時を保持する第１及び第２の記憶部と、前記読取手段で読み取られた日時情報と前記第１及び第２の記憶部に記憶された除去商品基準日時および移動商品基準日時とを比較し、前記商品が除去対象となる商品か否か、除去対象にはならないが設置場所の移動対象となる商品か否かを判定する判定手段と、該判定手段の判定結果を出力する出力手段とを備えることを特徴とする商品管理システム。
【請求項３】
請求項２記載の商品管理システムにおいて、前記出力手段は、発光部と、前記読取手段で読み取られた日時情報が前記第１の記憶部に記憶された除去商品基準日時よりも古い日時であるときは前記発光部を第１の色で発光させ、前記読取手段で読み取られた日時情報が前記第１の記憶部に記憶された除去商品基準日時よりも古い日時ではないが前記移動商品基準日時よりも古い日時であるときは前記発光部を第２の色で発光させる発光制御部とを含むことを特徴とする商品管理システム。
【請求項４】
請求項３記載の商品管理システムにおいて、前記発光制御部は、前記読取手段で読み取られた日時情報が前記第１及び第２の記憶部に記憶された除去商品基準日時及び移動商品基準日時の何れの日時よりも古い日時でないときは前記発光部を第３の色で発光させるものであることを特徴とする商品管理システム。
【請求項５】
請求項２記載の商品管理システムにおいて、前記出力手段は、鳴動部と、前記読取手段で読み取られた日時情報が前記第１の記憶部に記憶された除去商品基準日時よりも古い日時であるときは前記鳴動部を第１の音色で鳴動させ、前記読取手段で読み取られた日時情報が前記第１の記憶部に記憶された除去商品基準日時よりも古い日時ではないが前記移動商品基準日時よりも古い日時であるときは前記鳴動部を第２の音色で鳴動させる鳴動制御部とを含むことを特徴とする商品管理システム。
【請求項６】
請求項５記載の商品管理システムにおいて、前記鳴動制御部は、前記読取手段で読み取られた日時情報が前記第１及び第２の記憶部に記憶された除去商品基準日時及び移動商品基準日時の何れの日時よりも古い日時でないときは前記鳴動部を第３の音色で鳴動させるものであることを特徴とする商品管理システム。
【請求項７】
請求項２乃至６の何れか１項に記載の商品管理システムにおいて、前記出力手段は、表示装置と、前記読取手段で読み取られた日時情報を前記表示装置に表示する表示制御部とを備えることを特徴とする商品管理システム。
【請求項８】
請求項１乃至７の何れか１項に記載の商品管理システムにおいて、前記タグはＲＦＩＤタグであることを特徴とする商品管理システム。
【請求項９】
商品の鮮度に関連する日時情報が記録されたタグから日時情報を読み取り、該読み取った日時情報と予め設定されている除去商品基準日時および移動商品基準日時とに基づいて、前記商品が除去対象となる商品か否か、除去対象にはならないが設置場所の移動対象となる商品か否かを判定し、判定結果を出力するタグ読取装置。
【請求項１０】
請求項９記載のタグ読取装置において、前記タグに記録されている日時情報を読み取る読取手段と、除去商品基準日時および移動商品基準日時を保持する第１及び第２の記憶部と、前記読取手段で読み取った日時情報と前記第１及び第２の記憶部に記憶された除去商品基準日時および移動商品基準日時とを比較し、前記商品が除去対象となる商品か否か、除去対象にはならないが設置場所の移動対象となる商品か否かを判定する判定手段と、該判定手段の判定結果を出力する出力手段とを備えることを特徴とするタグ読取装置。
【請求項１１】
請求項１０記載のタグ読取装置において、前記出力手段は、発光部と、前記読取手段で読み取った日時情報が前記第１の記憶部に記憶された除去商品基準日時よりも古い日時であるときは前記発光部を第１の色で発光させ、前記読取手段で読み取られた日時情報が前記第１の記憶部に記憶された除去商品基準日時よりも古い日時ではないが前記移動商品基準日時よりも古い日時であるときは前記発光部を第２の色で発光させる発光制御部とを含むことを特徴とするタグ読取装置。
【請求項１２】
請求項１１記載のタグ読取装置において、前記発光制御部は、前記読取手段で読み取った日時情報が前記第１及び第２の記憶部に記憶された除去商品基準日時及び移動商品基準日時の何れの日時よりも古い日時でないときは前記発光部を第３の色で発光させるものであることを特徴とするタグ読取装置。
【請求項１３】
請求項１０記載のタグ読取装置において、前記出力手段は、鳴動部と、前記読取手段で読み取った日時情報が前記第１の記憶部に記憶された除去商品基準日時よりも古い日時であるときは前記鳴動部を第１の音色で鳴動させ、前記読取手段で読み取られた日時情報が前記第１の記憶部に記憶された除去商品基準日時よりも古い日時ではないが前記移動商品基準日時よりも古い日時であるときは前記鳴動部を第２の音色で鳴動させる鳴動制御部とを含むことを特徴とするタグ読取装置。
【請求項１４】
請求項１３記載のタグ読取装置において、前記鳴動制御部は、前記読取手段で読み取った日時情報が前記第１及び第２の記憶部に記憶された除去商品基準日時及び移動商品基準日時の何れの日時よりも古い日時でないときは前記鳴動部を第３の音色で鳴動させるものであることを特徴とするタグ読取装置。
【請求項１５】
請求項１０乃至１４の何れか１項に記載のタグ読取装置において、前記出力手段は、表示装置と、前記読取手段で読み取った日時情報を前記表示装置に表示する表示制御部とを備えることを特徴とするタグ読取装置。
【請求項１６】
請求項９乃至１５の何れか１項に記載のタグ読取装置において、前記タグはＲＦＩＤタグであることを特徴とするタグ読取装置。
【発明の詳細な説明】
【技術分野】
【０００１】
本発明は、ＲＦＩＤタグなどのタグを用いて商品管理を行う商品管理システム及びタグ読取装置に関する。
【背景技術】
【０００２】
従来、この種の商品管理システムとして、特許文献１に記載される商品管理システムが知られている。この特許文献１に記載された商品管理システムでは、ハンディターミナルという装置により、商品に付けられたタグから賞味期限などの日時情報を読み取り、カレンダー・時計部が示す現在の日時と比較し、その結果により値引き額、値下げ後の価格、または特典を表示部に表示するとともに、印字部より値下げラベルを印刷するようにしている。
【特許文献１】特開２００２−８３３６９号公報
【発明の開示】
【発明が解決しようとする課題】
【０００３】
食品などの商品は鮮度管理が極めて重要であるため、スーパーマーケットなどの店舗においては、店員が商品棚に陳列された個々の商品に印刷された賞味期限などの日時情報を確認して、賞味期限切れの商品は商品棚から取り除くようにしている。また、消費者の購買行動として一般的に棚の前列から商品を取り出す傾向があるため、賞味期限の古い商品が棚の前列に配置されるよう並び替える作業もあわせて実施している。しかし、このような商品棚の管理作業は、従来、人が印刷内容を見て賞味期限などの日時情報を読み取るため、読み間違いや読み取り漏れなどが発生する可能性があった。
【０００４】
特許文献１に記載された商品管理システムを応用し、賞味期限などの日時情報を記録したタグを商品に取り付けておき、タグに記録された日時情報をハンディターミナルを使って読み取り、カレンダー・時計部が示す現在日時と比較し、その結果を表示装置に表示すれば、賞味期限切れの商品であるかどうかを自動的に判定することができると思われる。しかし、賞味期限が近づいている商品であるかどうかの判定は依然として人手で行う必要があるため、結局は、店員が商品に印刷された賞味期限などの日時情報を見て最終的に判断する必要があり、作業の効率がかえって悪くなってしまう。
【０００５】
そこで本発明の目的は、商品棚に陳列された商品の中から賞味期限切れの商品を見つけ出す作業と、賞味期限切れではないが賞味期限が近づいているため商品棚の前列に移動すべき商品を見つけ出す作業とを効率良く実施することのできる商品管理システム及びタグ読取装置を提供することにある。
【課題を解決するための手段】
【０００６】
本発明における第１の商品管理システムは、商品の鮮度に関連する日時情報が記録されたタグと、該タグに記録されている日時情報を読み取り、該読み取った日時情報と予め設定されている除去商品基準日時および移動商品基準日時とに基づいて、前記商品が除去対象となる商品か否か、除去対象にはならないが設置場所の移動対象となる商品か否かを判定し、判定結果を出力するタグ読取装置とを含むことを特徴とする。
【０００７】
本発明における第２の商品管理システムは、第１の商品管理システムにおいて、前記タグ読取装置は、前記タグに記録されている日時情報を読み取る読取手段と、除去商品基準日時および移動商品基準日時を保持する第１及び第２の記憶部と、前記読取手段で読み取られた日時情報と前記第１及び第２の記憶部に記憶された除去商品基準日時および移動商品基準日時とを比較し、前記商品が除去対象となる商品か否か、除去対象にはならないが設置場所の移動対象となる商品か否かを判定する判定手段と、該判定手段の判定結果を出力する出力手段とを備えることを特徴とする。
【０００８】
本発明における第３の商品管理システムは、第２の商品管理システムにおいて、前記出力手段は、発光部と、前記読取手段で読み取られた日時情報が前記第１の記憶部に記憶された除去商品基準日時よりも古い日時であるときは前記発光部を第１の色で発光させ、前記読取手段で読み取られた日時情報が前記第１の記憶部に記憶された除去商品基準日時よりも古い日時ではないが前記移動商品基準日時よりも古い日時であるときは前記発光部を第２の色で発光させる発光制御部とを含むことを特徴とする。
【０００９】
本発明における第４の商品管理システムは、第３の商品管理システムにおいて、前記発光制御部は、前記読取手段で読み取られた日時情報が前記第１及び第２の記憶部に記憶された除去商品基準日時及び移動商品基準日時の何れの日時よりも古い日時でないときは前記発光部を第３の色で発光させるものであることを特徴とする。
【００１０】
本発明における第５の商品管理システムは、第２の商品管理システムにおいて、前記出力手段は、鳴動部と、前記読取手段で読み取られた日時情報が前記第１の記憶部に記憶された除去商品基準日時よりも古い日時であるときは前記鳴動部を第１の音色で鳴動させ、前記読取手段で読み取られた日時情報が前記第１の記憶部に記憶された除去商品基準日時よりも古い日時ではないが前記移動商品基準日時よりも古い日時であるときは前記鳴動部を第２の音色で鳴動させる鳴動制御部とを含むことを特徴とする。
【００１１】
本発明における第６の商品管理システムは、第５の商品管理システムにおいて、前記鳴動制御部は、前記読取手段で読み取られた日時情報が前記第１及び第２の記憶部に記憶された除去商品基準日時及び移動商品基準日時の何れの日時よりも古い日時でないときは前記鳴動部を第３の音色で鳴動させるものであることを特徴とする。
【００１２】
本発明における第７の商品管理システムは、第２乃至６の商品管理システムにおいて、前記出力手段は、表示装置と、前記読取手段で読み取られた日時情報を前記表示装置に表示する表示制御部とを備えることを特徴とする。
【００１３】
本発明における第８の商品管理システムは、第１乃至７の商品管理システムにおいて、前記タグはＲＦＩＤタグであることを特徴とする。
【００１４】
本発明における第１のタグ読取装置は、商品の鮮度に関連する日時情報が記録されたタグから日時情報を読み取り、該読み取った日時情報と予め設定されている除去商品基準日時および移動商品基準日時とに基づいて、前記商品が除去対象となる商品か否か、除去対象にはならないが設置場所の移動対象となる商品か否かを判定し、判定結果を出力することを特徴とする。
【００１５】
本発明における第２のタグ読取装置は、第１のタグ読取装置において、前記タグに記録されている日時情報を読み取る読取手段と、除去商品基準日時および移動商品基準日時を保持する第１及び第２の記憶部と、前記読取手段で読み取った日時情報と前記第１及び第２の記憶部に記憶された除去商品基準日時および移動商品基準日時とを比較し、前記商品が除去対象となる商品か否か、除去対象にはならないが設置場所の移動対象となる商品か否かを判定する判定手段と、該判定手段の判定結果を出力する出力手段とを備えることを特徴とする。
【００１６】
本発明における第３のタグ読取装置は、第２のタグ読取装置において、前記出力手段は、発光部と、前記読取手段で読み取った日時情報が前記第１の記憶部に記憶された除去商品基準日時よりも古い日時であるときは前記発光部を第１の色で発光させ、前記読取手段で読み取られた日時情報が前記第１の記憶部に記憶された除去商品基準日時よりも古い日時ではないが前記移動商品基準日時よりも古い日時であるときは前記発光部を第２の色で発光させる発光制御部とを含むことを特徴とする。
【００１７】
本発明における第４のタグ読取装置は、第３のタグ読取装置において、前記発光制御部は、前記読取手段で読み取った日時情報が前記第１及び第２の記憶部に記憶された除去商品基準日時及び移動商品基準日時の何れの日時よりも古い日時でないときは前記発光部を第３の色で発光させるものであることを特徴とする。
【００１８】
本発明における第５のタグ読取装置は、第２のタグ読取装置において、前記出力手段は、鳴動部と、前記読取手段で読み取った日時情報が前記第１の記憶部に記憶された除去商品基準日時よりも古い日時であるときは前記鳴動部を第１の音色で鳴動させ、前記読取手段で読み取られた日時情報が前記第１の記憶部に記憶された除去商品基準日時よりも古い日時ではないが前記移動商品基準日時よりも古い日時であるときは前記鳴動部を第２の音色で鳴動させる鳴動制御部とを含むことを特徴とする。
【００１９】
本発明における第６のタグ読取装置は、第５のタグ読取装置において、前記鳴動制御部は、前記読取手段で読み取った日時情報が前記第１及び第２の記憶部に記憶された除去商品基準日時及び移動商品基準日時の何れの日時よりも古い日時でないときは前記鳴動部を第３の音色で鳴動させるものであることを特徴とする。
【００２０】
本発明における第７のタグ読取装置は、第２乃至６のタグ読取装置において、前記出力手段は、表示装置と、前記読取手段で読み取った日時情報を前記表示装置に表示する表示制御部とを備えることを特徴とする。
【００２１】
本発明における第８のタグ読取装置は、第１乃至７のタグ読取装置において、前記タグはＲＦＩＤタグであることを特徴とする。
【発明の効果】
【００２２】
本発明の第１及び第２の商品管理システム及びタグ読取装置によれば、商品棚に陳列された商品の中から賞味期限切れの商品と賞味期限切れ間際の商品とを見つける作業を自動化することができる。その理由は、タグ読取装置は、商品の鮮度に関連する日時情報が記録されたタグに記録されている日時情報を読み取り、この読み取った日時情報と予め設定されている除去商品基準日時および移動商品基準日時とに基づいて、前記商品が除去対象となる賞味期限切れの商品か否か、賞味期限切れ間際であるため設置場所の移動対象となる商品か否かを判定し、判定結果を出力するからである。
【００２３】
本発明の第３の商品管理システム及びタグ読取装置によれば、第１及び第２の商品管理システム及びタグ読取装置で得られる効果に加えて、発光部で発光する色の種類によって、商品が除去対象となる商品か否か、除去対象にはならないが設置場所の移動対象となる商品か否かを知ることができる。
【００２４】
本発明の第４の商品管理システム及びタグ読取装置によれば、第３の商品管理システム及びタグ読取装置で得られる効果に加えて、賞味期限切れでもなく、賞味期限切れ間際でもない商品を別の発光色によって積極的に認知させることができる。
【００２５】
本発明の第５の商品管理システム及びタグ読取装置によれば、第１及び第２の商品管理システム及びタグ読取装置で得られる効果に加えて、鳴動部で鳴動する音色の種類によって、商品が除去対象となる商品か否か、除去対象にはならないが設置場所の移動対象となる商品か否かを知ることができる。
【００２６】
本発明の第６の商品管理システム及びタグ読取装置によれば、第５の商品管理システム及びタグ読取装置で得られる効果に加えて、賞味期限切れでもなく、賞味期限切れ間際でもない商品を別の音色の鳴動によって積極的に認知させることができる。
【００２７】
本発明の第７の商品管理システム及びタグ読取装置によれば、第２乃至第６の商品管理システム及びタグ読取装置で得られる効果に加えて、タグから読み取られた日時情報が表示装置に表示されるので、実際の賞味期限を認識することができる。
【００２８】
本発明の第８の商品管理システム及びタグ読取装置によれば、第１乃至第７の商品管理システム及びタグ読取装置で得られる効果に加えて、商品棚に陳列された商品の中から賞味期限切れの商品と賞味期限切れ間際の商品とを見つける作業を効率良く実施することができる。その理由は、タグとしてＲＦＩＤタグを使用しており、離れた位置からでもそこに記録されている日時情報を読み取ることができるからである。
【発明を実施するための最良の形態】
【００２９】
〔構成の説明〕
図１（ａ）を参照すると、本発明の実施形態は、スーパーマーケットなどの店舗で商品を管理する従業員３００が携帯する読取指向性のあるＲＦＩＤタグ読取装置１００と、商品棚５００に陳列されている商品４００−１〜４００−ｎに取り付けられたＲＦＩＤタグ２００−１〜２００−ｎとで構成されている。ここで、商品４００−１〜４００−ｎは、食品など鮮度管理が必要な同じ種類、銘柄の商品である。
【００３０】
図１（ｂ）は商品４００−１〜４００−ｎへのＲＦＩＤタグ２００−１〜２００−ｎの取り付け例を示しており、この例では、それぞれの商品４００−ｉ（ｉ＝１〜ｎ）の価格表示部６００−ｉにＲＦＩＤタグ２００−ｉを固定してある。勿論、商品とＲＦＩＤタグとが１対１に対応する方法であれば、商品へのＲＦＩＤタグの取り付け方法は図１（ｂ）の方法に限定されず、任意の方法を用いることができる。
【００３１】
個々のＲＦＩＤタグ２００−ｉには、当該商品４００−ｉの賞味期限、製造日、入荷日などの鮮度に関連する日時情報を示すコードが少なくとも記録されている。ＲＦＩＤタグ２００−ｉへのコードの書き込みは、当該商品４００−ｉの製造時、流通運搬時、店舗搬入後の何れにおいて行っても良い。
【００３２】
タグ読取装置１００は、ＲＦＩＤタグ２００−ｉに記憶されている日時情報を示すコードを読み取る機能や、従業員３００によって予め設定された除去商品基準日時および移動商品基準日時を示すコードとＲＦＩＤタグ２００−ｉから読み取ったコードを比較して、当該商品４００−ｉが賞味期限切れ等の理由で賞品棚５００から除去する対象となる商品か否か、また、当該商品４００−ｉが賞味期限切れが近づいているために商品棚５００の前列に近い場所へ移動する対象となる商品か否かを判定し、その判定結果を出力する機能を有する。
【００３３】
ここで、除去商品基準日時は、当該商品が賞味期限切れ等の理由で商品棚から除去すべきかどうかを判定する基準日時である。例えば、スーパーマーケットの開店前の早朝に、その日の閉店時刻前に賞味期限切れとなる商品を事前に商品棚から取り除く作業を行う場合、その日の閉店時刻が除去商品基準日時として設定される。また、移動商品基準日時は、当該商品が賞味期限切れ等の理由で商品棚から除去する必要はないが、賞味期限切れが近づいている等の理由で商品棚の前列へ移動すべき商品であるかどうかを判定する基準日時である。例えば、作業当日の閉店時刻以降、翌日の閉店時刻迄の間に賞味期限切れとなる商品を商品棚の前列へ移動する作業を行う場合、翌日の閉店時刻が移動商品基準日時として設定される。従って、除去商品基準日時は移動商品基準日時よりも過去の日時となる。
【００３４】
このような機能を有するタグ読取装置１００は、例えば、図２のブロック図に示す構造を有する。
【００３５】
図２に示すように、タグ読取装置１００は、読取部１０１と、判定部１０２と、除去商品基準日時記憶部１０３と、移動商品基準日時記憶部１０４と、入力部１０５と、発光制御部１０６と、鳴動制御部１０７と、表示制御部１０８と、発光部１０９と、ブザー１１０と、表示装置１１１とから構成される。また、発光部１０９は、ＬＥＤ等の赤色発光素子１０９ａ、黄色発光素子１０９ｂおよび青色発光素子１０９ｃで構成されている。
【００３６】
読取部１０１は、読取指向性を有するものであり、ＲＦＩＤタグ２００−ｉに記憶されている日時情報を示すコードを読み取る機能を有する。
【００３７】
入力部１０５は、除去商品基準日時および移動商品基準日時を入力するためのテンキー等で構成される。
【００３８】
除去商品基準日時記憶部１０３は、入力部１０５から入力された除去商品基準日時を示すコードを記憶する機能を有する。
【００３９】
移動商品基準日時記憶部１０４は、入力部１０５から入力された移動商品基準日時を示すコードを記憶する機能を有する。
【００４０】
判定部１０２は、読取部１０１がＲＦＩＤタグ２００−ｉから読み取った日時情報と、除去商品基準日時記憶部１０３に記憶されている除去商品基準日時を示すコードおよび移動商品基準日時記憶部１０４に記憶されている移動商品基準日時を示すコードに基づいて、日時情報が除去商品基準日時よりも古い日時であるか、日時情報が除去商品基準日時よりも古い日時ではないが移動商品基準日時よりも古い日時であるか、日時情報が移動商品基準日時よりも古い日時でないかを判定し、その判定結果を発行制御部１０６および鳴動制御部１０７に通知し、またＲＦＩＤタグ２００−ｉから読み取った日時情報を表示制御部１０８に通知する機能を有する。
【００４１】
発光制御部１０６は、判定部１０２から通知される判定結果に応じて発行部１０９の発光を制御する機能を有する。例えば、発光制御部１０６は、ＲＦＩＤタグ２００−ｉから読み取った日時情報が除去商品基準日時よりも古い日時であるとの判定結果を判定部１０２から通知された場合、赤色発光素子１０９ａのみを一定時間だけ点灯させ、ＲＦＩＤタグ２００−ｉから読み取った日時情報が除去商品基準日時よりも古い日時ではないが移動商品基準日時よりも古い日時であるとの判定結果を判定部１０２から通知された場合、黄色発光素子１０９ｂのみを一定時間だけ点灯させ、ＲＦＩＤタグ２００−ｉから読み取った日時情報が移動商品基準日時よりも古い日時でないとの判定結果を判定部１０２から通知された場合、青色発光素子１０９ｃのみを一定時間だけ点灯させる。勿論、一定時間だけ点灯させる代わりに、一定時間だけ点滅させても良い。また、３種類の判定結果のそれぞれに１対１に発光色を対応させたが、ＲＦＩＤタグ２００−ｉから読み取った日時情報が除去商品基準日時よりも古い日時であると判定された場合と、除去商品基準日時よりも古い日時ではないが移動商品基準日時よりも古い日時であると判定された場合だけ発光部１０９を異なる色で発光させ、移動商品基準日時よりも古い日時でない判定された場合には発光部１０９を何色でも発光させないようにしても良い。
【００４２】
鳴動制御部１０７は、判定部１０２から通知される判定結果に応じてブザー１１０の鳴動を制御する機能を有する。例えば、鳴動制御部１０７は、ＲＦＩＤタグ２００−ｉから読み取った日時情報が除去商品基準日時よりも古い日時であるとの判定結果を判定部１０２から通知された場合、ブザー１１０から例えば「ブー、ブー」と言った音色を一定時間だけ鳴らせ、ＲＦＩＤタグ２００−ｉから読み取った日時情報が除去商品基準日時よりも古い日時ではないが移動商品基準日時よりも古い日時であるとの判定結果を判定部１０２から通知された場合、ブザー１１０から例えば「ピピッ、ピピッ」と言った音色を一定時間だけ鳴らせ、ＲＦＩＤタグ２００−ｉから読み取った日時情報が移動商品基準日時よりも古い日時でないとの判定結果を判定部１０２から通知された場合、ブザー１１０から例えば「ピー、ピー」と言った音色を一定時間だけ鳴らせる。勿論、これらの音色はあくまでも一例であり、互いに明確に区別できる音色であればどのような音色でも良く、「ダメ」、「イドウ」、「オッケイ」の如き人の音声の合成音をブザー１１０に代えて設けたスピーカから出力するようにしても良い。また、この例では、３種類の判定結果のそれぞれに１対１に音色を対応させたが、ＲＦＩＤタグ２００−ｉから読み取った日時情報が除去商品基準日時よりも古い日時であると判定された場合と、除去商品基準日時よりも古い日時ではないが移動商品基準日時よりも古い日時であると判定された場合だけブザー１１０を異なる音色で鳴動させ、移動商品基準日時よりも古い日時でないと判定された場合にはブザー１１０を鳴動させないようにしても良い。
【００４３】
表示制御部１０８は、読取部１０１がＲＦＩＤタグ２００−ｉから読み取った日時情報を判定部１０２から受け取って表示装置１１１に表示する機能を有する。表示装置１１１は例えばＬＣＤで構成される。
【００４４】
〔動作の説明〕
次に本実施の形態の動作について、具体例を挙げて詳細に説明する。例としては、商品棚５００に並べられている各商品４００−１〜４００−ｎに取り付けられたＲＦＩＤタグ２００−１〜２００−ｎには、商品の賞味期限を示す日時コードが記憶されており、作業当日の店舗閉店時刻前に賞味期限切れを迎える商品は商品棚５００から取り除き、作業当日の店舗閉店時刻から作業翌日の店舗閉店時刻までの間に賞味期限切れを迎える商品は商品棚５００の前列に移動する作業を行うものとする。また、店舗閉店時刻は午後７時、作業は１２月１６日の午前８時に開始するものとする。
【００４５】
先ず従業員３００は、作業を開始するのに先立って、タグ読取装置１００の入力部１０５を操作し、除去商品基準日時記憶部１０３に「１２月１６日午後７時」を設定し、移動商品基準日時記憶部１０４に「１２月１７日午後７時」を設定する。
【００４６】
その後、従業員３００は、上記したようにして除去商品基準日時、および移動商品基準日時を設定したタグ読取装置１００を携帯して店内を移動する。そして、商品管理すべき商品（例えば、商品４００−１〜４００−ｎ）が陳列されている商品棚５００のところに行き、タグ読取装置１００を各商品４００−１〜４００−ｎに付けられた価格表示部６００−1〜６００−ｎのＲＦＩＤタグ２００−１〜２００−ｎに順番にかざす。
【００４７】
従業員３００がタグ読取装置１００を或る１つの商品４００−ｉにかざしたとき、タグ読取装置１００内の読取部１０１は、その商品４００−ｉに付けられているＲＦＩＤタグ２００−ｉから出力されている日時情報を示すコードを読み込み、判定部１０２に渡す（図３のステップＳ３１)。
【００４８】
判定部１０２は、読み取った日時情報が除去商品基準日時記憶部１０３に記憶されている除去商品基準日時「１２月１６日午後７時」よりも古い日時であるか否かを調べる(ステップＳ３２)。そして、読み取った日時情報が例えば「１２月１６日午前９時」であり、除去商品基準日時よりも古いと判断すると(ステップ３２でＹＥＳ)、発光制御部１０６により、赤色発光素子１０９ａを発光させ、同時に、鳴動制御部１０７により、ブザー１１０を第１の音色「ブー、ブー」で鳴動させる(ステップＳ３３)。これにより、従業員３００は、当該商品４００−iが賞味期限切れのため商品棚５００から取り除く必要があることを光と音の双方で即座に認識することができる。また、読み取られた日時情報「１２月１６日午前９時」は表示制御部１０８により表示装置１１１に表示されるので、賞味期限切れであることを目視によっても確認することができる。
【００４９】
これに対して、読み取った日時情報が除去商品基準日時「１２月１６日午後７時」よりも新しいと判断されると(ステップＳ３２でＮＯ)、次に判定部１０２は、読み取った日時情報が移動商品基準日時「１２月１７日午後７時」よりも古い日時であるか否かを調べる(ステップＳ３４)。そして、読み取った日時情報が例えば「１２月１７日午後３時」であり移動商品基準日時よりも古いと判断すると(ステップＳ３４でＹＥＳ)、発光制御部１０６により、黄色発光素子１０９ｂを発光させ、同時に、鳴動制御部１０７により、ブザー１１０を第２の音色「ピピッ、ピピッ」で鳴動させる(ステップＳ３５)。更に、表示制御部１０８により日時情報を表示装置１１１に表示する(ステップＳ３７)。これにより、従業員３００は、当該商品４００−ｉは賞味期限切れが近いために商品棚５００の前列に移動すべき商品であることを光と音の双方で即座に認識することができ、また、表示により確認することもできる。
【００５０】
他方、読み取った日時情報が例えば「１２月１８日午後３時」であり移動商品基準日時「１２月１７日午後７時」よりも新しいと判断されると(ステップＳ３４でＮＯ)、発光制御部１０６により、青色発光素子１０９ｃを発光させ、同時に、鳴動制御部１０７により、ブザー１１０を第３の音色「ピー、ピー」で鳴動させる(ステップＳ３６)。更に、表示制御部１０８により日時情報を表示装置１１１に表示する(ステップＳ３７)。これにより、従業員３００は、当該商品４００−ｉが商品棚５００から取り除く商品でもなく、商品棚５００の前列に移動すべき商品でもないことが、光と音の双方で認識することができ、また、表示でも確認することができる。
【００５１】
従業員３００は、以上の処理を商品棚５００に並んでいる全ての商品に対して順番に行うことにより、作業当日の店舗閉店時刻前に賞味期限切れを迎える商品は商品棚５００から取り除き、作業当日の店舗閉店時刻後から作業翌日の店舗閉店時刻前の間に賞味期限切れを迎える商品は商品棚５００の前列に移動させる。
【００５２】
このように本実施の形態によれば、タグ読取装置１００を１つの商品４００−ｉのＲＦＩＤタグ２００−ｉにかざしたとき、発光部１０９が赤く点灯するか、ブザー１１０が「ブーブー」と鳴れば、その商品４００−ｉを商品棚５００から取り除き、発光部１０９が黄色く点灯するか、ブザー１１０が「ピピッ、ピピッ」と鳴れば、その商品４００−ｉを商品棚５００の前列に移動すれば良く、商品に印刷されている賞味期限の日時を目視で確認し、その日時が作業当日の店舗閉店時刻前に賞味期限切れとなる日時であるかどうか、そうではなく作業翌日の店舗閉店時刻前に賞味期限切れとなる日時であるかどうかを判断して対応する場合に比べて、作業の効率を飛躍的に高めることができ、またケアレスミスを削減することができる。
【００５３】
以上本発明の実施の形態について説明したが、本発明は以上の実施の形態にのみ限定されず、その他各種の付加変更が可能である。例えば、タグ読取装置１００で商品４００−ｉのＲＦＩＤタグ２００−ｉを読み取ったときの判定結果を出力する際に、発光部１０９だけ発光させるようにしても良いし、ブザー１１０だけ鳴動させるようにしても良い。また、表示装置１１１に「除去」、「移動」、「ＯＫ」といった内容で判定結果を表示させることもでき、更に、これらの３つを自由に組み合わせることもできる。
【図面の簡単な説明】
【００５４】
【図１】本発明の実施の形態の構成説明図である。
【図２】本発明のタグ読取装置の構成例を示すブロック図である。
【図３】本発明のタグ読取装置の処理例を示すフローチャートである。
【符号の説明】
【００５５】
１００…タグ読取装置
１０１…読取部
１０２…判定部
１０３…除去商品基準日時記憶部
１０４…移動商品基準日時記憶部
１０５…入力部
１０６…発光制御部
１０７…鳴動制御部
１０８…表示制御部
１０９…発光部
１０９a…赤色発光素子
１０９b…黄色発光素子
１０９c…青色発光素子
１１０…ブザー
１１１…表示装置
２００−１〜２００−ｎ…ＲＦＩＤタグ
３００…従業員
４００−１〜４００−ｎ…商品
５００…商品棚
６００−１〜６００−ｎ…価格表示部
【図１】
2005178964.tif 000003
【図２】
2005178964.tif 000004
【図３】
2005178964.tif 000005